(57)【要約】【課題】高齢者や歩行に支障のある人たちが歩行補助具として使用する杖は、丈夫さはもちろん軽量で強度も十分なものでなければならない。それに加えて外観上からも、できるだけ余計なものがついていないものが喜ばれる。本案はこの基準の沿って、杖としてすっきりとした外観を有し、それでいて疲れたときに腰をかけることができる椅子の役目も十分に果たすものを考えてみた。【解決手段】外筒および内筒から成る筒体の上端にグリップ孔を有し取手兼座面となるべき折りたたみ式の板状体を装着し、内筒下端部に挿入した折りたたみ式椅子脚を外筒で覆い、外筒と内筒のスライドにより杖の全長を伸縮させる機能を有する杖であって、椅子にするときは取手兼座面を開き、椅子脚を開き、筒体を最短にして腰を下ろす椅子とするものである。【選択図】図１
2017035416.tif 000002
【特許請求の範囲】
【請求項１】
外筒および内筒から成る筒体の上端にグリップ孔を有し取手兼座面となるべき折りたたみ式の板状体を装着し、内筒下端部に挿入した折りたたみ式椅子脚を外筒で覆い、外筒と内筒のスライドにより杖の全長を伸縮させる機能を有する椅子になる杖。
【請求項２】
杖使用時には取手兼座面中央部を支点に二つ折りにして垂直に固定し、椅子使用時には取手を開いて水平座面となし、内筒下端部に設けた椅子脚を放射状に開き折り曲げ自在に取り付けた補強用支えを外筒と連結して筒体を垂直に保持する特徴を有する請求項１に記載の椅子になる杖。
【発明の詳細な説明】
【技術分野】
【０００１】  本発明は、椅子としても使用しうる杖に関するものである。
【背景技術】
【０００２】  従来、椅子や腰掛けとして利用できる杖またはステッキは種々の方法が考案され出願されているが、支柱については１本あるいは２本の脚で体重を支えながら使用者がバランスを取るものがある半面、杖１本の支柱に対して補助脚を２本あるいは３本を取り付け、３〜４本の脚で椅子として安定性を確保するものが多く見受けられる。一方、椅子の座面は一定の厚みを有する固形のものであったり、軽量で柔軟性のある布を使用したり、また座面の取り付け位置については支柱の途中への設置が多く、支柱の上端に取り付けているものは少数派に属する。【０００３】  杖といえば通常支柱１本という先入観があり、支柱が２本あるいは３本となると外観的に杖というイメージからはずれ、杖というよりも椅子のイメージが勝る感じがして、使う側からは杖として携帯するのに気が引けるところでもある。また、あまりにしっかりした腰掛を支柱の途中にセットすれば、重量的にも見た目にも杖というイメージから外れたものとなってしまう。【０００４】  先行技術文献として例示した「ステッキ」は、全体が１本の支柱で構成され、その支柱の筒体内に収まる範囲内に複数の脚を装着し、腰掛け部が杖の途中に取りつけられ、腰掛使用時には脚基部を中心に脚が放射状に開く。グリップ部を取り付けた支柱上部が腰掛け部で折れ曲がり、腰掛使用時の高さを低くする工夫がなされていてよいが、杖使用時に腰掛が取手のすぐ下に位置していて杖としての外観が損なわれる点と、腰掛けた場合の左右への揺れに対して脚部の強度がもつかどうかが心配なところである。
【先行技術文献】
【特許文献】
【０００５】
【特許文献】実開平５−８２３１２号公報
【発明の概要】
【発明が解決しようとする課題】
【０００６】  本発明の椅子となる杖は、杖上端に方形の取手兼座面があるだけで杖本体を突起物のない１本の棒体とし、外観的にすっきりとした杖を実現しようとするものである。
【課題を解決するための手段】
【０００７】  そこで本発明の椅子になる杖は、請求項１に述べるように、外筒および内筒から成る筒体の上端にグリップ孔を有し、取手兼座面となるべき折りたたみ式の板状体を装着し、内筒下端部に挿入した折りたたみ式椅子脚を外筒で覆い、外筒と内筒のスライドにより杖の全長を伸縮させる機能を有するものである。【０００８】  また、請求項２の本発明の椅子になる杖は、杖使用時には取手兼座面中央部を支点に二つ折りにして垂直に固定し、椅子使用時には取手を開いて水平座面となし、内筒下端部に設けた椅子脚を放射状に開き付随する補強用支えを外筒と連結して筒体を垂直に保持するものである。
【発明の効果】
【０００９】  本発明の椅子になる杖は、外観上はすっきりとした杖の形状を保ち歩行を補助する杖として機能するが、歩行中に疲れを感じて休憩したい場合には、ゆっくり休めるように高さを低くした腰掛け座面を提供することができる。
【図面の簡単な説明】
【００１０】
【図１】  本発明の椅子になる杖を杖として使用する場合の正面図である。
【図２】  本発明の椅子になる杖を椅子として使用する場合の斜視図である。
【図３】  椅子の取手／座面を折りたたんだ状態を示す部分拡大斜視図である。
【図４】  内筒内側に組み込んだ椅子脚および補強用支えを開くところを底面から見た部分斜視図である。
【発明を実施するための形態】
【００１１】（実施の形態１）
図１は本発明の実施の形態１に係る、椅子になる杖を示す正面図である。外筒甲１ａと外筒乙１ｂとの間に内筒２がスライド可能に設けられており、杖の全長を雄ねじ１４により何段階かに調節することができる。折りたたんだ取手／座面３の高さは１１ｃｍ、外筒甲１ａと外筒乙１ｂの長さは合わせて３８ｃｍ、内筒２の長さは３５ｃｍあり、取手／座面３の高さを加えると杖の全長は最長で８５〜８６ｃｍ（最短で６５ｃｍ）程度となる。
【００１２】  取手／座面３は中央部で蝶番７により二つ折りに開閉できる構造を有し、蝶番７の軸を台座９で受け、台座９を外筒甲１ａに挿入して固着する。取手／座面３の両端部付近には二つ折りにしたときに合わさるグリップ孔４を設け、杖として使用するときの取手となる。取手／座面３を閉じたときには両面が開くのを防ぐため磁石８を取り付ける。磁石８の代わりに面ファスナー付きテープ等で巻いてもよい。
【００１３】  図２は本発明の実施形態１に係る椅子になる杖を椅子として使用する場合の斜視図である。杖から椅子への変換は、まず磁石８等により合わさっている取手／座面３を外して座面を水平に開く。取手／座面３と外筒甲１ａに設けた支持具受１１間を連結する支持具５をスライドさせて固定し、座面を水平に保つ。
【００１４】１
次に、内筒２の下端に組み込んだ椅子脚１２を組み立てるには、まず杖の筒体の下端に位置する外筒乙１ｂをずり上げる。そして内筒２の下端に椅子脚１２を広げ、その先に連なる補強支え１３を持ち、先端に設けたねじ孔により外筒乙１ｂに雄ねじ１４で留める。これで椅子脚１２は筒体に対し垂直に固定されるので、外筒甲１ａおよび外筒乙１ｂの雄ねじ１４を操作して筒体の長さを最短にする。椅子として使用した場合の高さは取手／座面３および台座９の厚みを含み約４０ｃｍである。
【００１５】  本案の椅子になる杖は、使用者が高齢または歩行に何らかの支障があることが予想されることから、椅子になる杖は軽量かつ強度が必要とされ、アルミなどの軽くて丈夫な金属の使用が求められる。
【００１６】  図３は取手／座面３を閉じて折りたたんだところの部分拡大の斜視図である。取手／座面３を閉じて杖の取手として使用する場合、蝶番７の性質上、そのままでは取手を垂直状態に制止させることが困難なため、台座９に制止板１０を片側２枚取り付け折りたたんだ取手／座面３の両側から挟み込むことで取手を垂直に保持させる。制止板１０は台座の片側だけでもよいが、両側に取り付けることでより確実なものとなる。
【００１７】  取手／座面３を開いて椅子の座面とする場合、座面の裏面に支持具５を取り付けて体重を支えるが、支持具５の下端を外筒甲１ａ上の支持具受１１で受け、上端を座面裏面に設けたスライド溝６によりスライドさせて取手／座面３が水平になったところで停止するようにする。すなわち、体重は取手／座面３中央の台座９および２個の支持具により支えられることとなる。なお、支持具５の上端を座面裏面に支持具受１１で受け、下端を外筒甲１ａの表面をスライドさせる方式にすることも可能である（図示省略）。
【００１８】  図４は内筒２下端部に組み込んだ椅子脚１２を広げようとしているところを示す。筒体を垂直かつ強固に保つためには脚数は最低３本が必要で、４本でもよいが４本にすると１本あたりの強度が低下するため、本案では３本とした。
【００１９】  椅子脚１２を組み立てるには、まず折りたたんだ椅子脚１２や補強用支え１３等を覆っている外筒乙１ｂを上方にずらして椅子脚１２を現わし、椅子脚１２の基底部を内筒２内に挿入したまま椅子脚１２を水平方向に放射状に広げ、先端に折り曲げ自在に取り付けた補強用支え１３の先端を外筒乙１ｂの側面に雄ねじ１４で留める。
【符号の説明】
【００２０】  １ａ・・・外筒甲
１ｂ・・・外筒乙
２  ・・・内筒
３  ・・・取手／座面
４  ・・・グリップ孔
５  ・・・支持具
６  ・・・スライド溝
７  ・・・蝶番
８  ・・・磁石
９  ・・・台座
１０  ・・・制止板
１１  ・・・支持具受
１２  ・・・椅子脚
１３  ・・・補強用支え
１４  ・・・雄ねじ
【図１】
2017035416.tif 000003
【図２】
2017035416.tif 000004
【図３】
2017035416.tif 000005
【図４】
2017035416.tif 000006